(57)【要約】【課題】ＡＣ商用電源からの電力供給やロック機構がなくてもランプ高温時にカバーが開いたら作業者に通知を行うことが可能な投射型表示装置を提供すること【解決手段】プロジェクタ１は、ＡＣ電源が主電源部１４に接続されている時は、ランプ温度判別部１８によってランプ１３が高温である情報が取得され、かつ、カバー開閉検知部２１によってカバーが開いていることが検出された場合に、主電源部が供給する電力を利用して高温通知部１９にランプが高温であることを警告させる。また、ＡＣ電源が接続されていない時は、ランプが高温で、かつ、カバーが開いている場合に、副電源部１５が供給する電力を利用して高温通知部に警告させる。【選択図】図１
2014016471.tif 000002
【特許請求の範囲】
【請求項１】
画像を投射する投射型表示装置であって、
光源としてのランプと、
前記ランプを収納し、前記ランプを取り出しおよび取り付けるための開口部を有する筐体と、
前記筐体の前記開口部を開閉するカバーと、
ＡＣ電源が接続されている時に前記ＡＣ電源からの電力を供給する主電源部と、
ＡＣ電源からの電力が遮断されている時に電力を供給する副電源部と、
前記ランプの温度の情報を取得する温度情報取得手段と、
前記カバーの開閉状態を検出するカバー開閉検出手段と、
前記ランプが高温であることを警告する警告手段と、
制御手段と、
を有し、
前記制御手段は、
前記ＡＣ電源が前記主電源部に接続されている時は、前記温度情報取得手段によって前記ランプが高温である情報が取得され、かつ、前記カバー開閉検出手段によって前記カバーが開いていることが検出された場合に、前記主電源部が供給する電力を利用して前記警告手段に前記ランプが高温であることを警告させ、
前記ＡＣ電源が前記主電源部に接続されていない時は、前記温度情報取得手段によって前記ランプが高温である情報が取得され、かつ、前記カバー開閉検出手段によって前記カバーが開いていることが検出された場合に、前記副電源部が供給する電力を利用して前記警告手段に前記ランプが高温であることを警告させることを特徴とする投射型表示装置。
【請求項２】
前記ＡＣ電源が前記主電源部に接続されているかどうかを検出する接続検出手段を更に有し、
前記制御手段は前記接続検出手段の検出結果を取得することを特徴とする請求項１に記載の投射型表示装置。
【請求項３】
前記ランプを冷却する冷却手段を更に有し、
前記制御手段は、
前記ＡＣ電源が前記主電源部に接続されている時に、前記温度情報取得手段によって前記ランプが高温である情報が取得されると、前記主電源部が供給する電力を利用して前記冷却手段に前記ランプを冷却させ、
前記ＡＣ電源が前記主電源部に接続されていない時に、前記温度情報取得手段によって前記ランプが高温である情報が取得されると、前記副電源部が供給する電力を利用して前記冷却手段に前記ランプを冷却させることを特徴とする請求項１または２に記載の投射型表示装置。
【請求項４】
前記副電源部はコンデンサを有し、
前記温度情報取得手段は前記副電源部の出力電圧または出力電流を検出することを特徴とする請求項１乃至３のうちいずれか１項に記載の投射型表示装置。
【請求項５】
前記副電源部に電池または充電池を有することを特徴とする請求項１乃至３のうちいずれか１項に記載の投射型表示装置。
【請求項６】
前記温度情報取得手段は温度計を有することを特徴とする請求項１乃至３および５のうちいずれか１項に記載の投射型表示装置。
【請求項７】
前記ランプを冷却する冷却手段を更に有し、
前記温度情報取得手段は前記冷却手段による冷却時間を検出することを特徴とする請求項１に記載の投射型表示装置。
【発明の詳細な説明】
【技術分野】
【０００１】
本発明は、液晶プロジェクタ等の投射型表示装置に関する。
【背景技術】
【０００２】
投射型表示装置の光源としてのランプは、一般に、筐体の開口部を介して交換される。ランプが点灯中または高温状態にあるときに交換することは安全上好ましくないので開口部を覆うカバーを開ける前に、ランプの消灯を確認し、ランプの温度が十分に下がるまで待つ必要がある。そして、作業者が不注意でランプの温度が下がりきる前にランプを交換しないように、高温マークを記載して注意を促す方法も提案されている。
【０００３】
しかしながら、作業者が高温マークに気付くまでに時間がかかると、安全性を維持する効果が不十分となる。そこで、ランプ高温時にカバーが開いたら作業者に通知したり、特許文献１や２のように、開口部のカバーにサーモスイッチによるロック機構を設け、ランプが高温時にカバーが開けられないようにしたりする手段が提案されている。
【先行技術文献】
【特許文献】
【０００４】
【特許文献１】特開２００２−３３３６６８号公報
【特許文献２】特開２００５−０３１５１８号公報
【発明の概要】
【発明が解決しようとする課題】
【０００５】
しかしながら、ランプ高温時にカバーが開いたら作業者に通知を行う方法は、ＡＣ（商用）電源から電力供給がないと機能しない。一方、特許文献１や２は、ランプ高温時にサーモスイッチを利用してカバーをロックするのでこの時にＡＣ電源から電力供給は不要であるが、ロック機構によってコストアップとなる。
【０００６】
そこで、本発明は、ＡＣ電源からの電力供給やロック機構がなくてもランプ高温時にカバーが開いたら作業者に警告を行うことが可能な投射型表示装置を提供することを例示的な目的とする。
【課題を解決するための手段】
【０００７】
本発明の投射型表示装置は、画像を投射する投射型表示装置であって、光源としてのランプと、前記ランプを収納し、前記ランプを取り出しおよび取り付けるための開口部を有する筐体と、前記筐体の前記開口部を開閉するカバーと、ＡＣ電源が接続されている時に前記ＡＣ電源からの電力を供給する主電源部と、ＡＣ電源からの電力が遮断されている時に電力を供給する副電源部と、前記ランプの温度の情報を取得する温度情報取得手段と、前記カバーの開閉状態を検出するカバー開閉検出手段と、前記ランプが高温であることを警告する警告手段と、制御手段と、を有する。前記制御手段は、前記ＡＣ電源が前記主電源部に接続されている時は、前記温度情報取得手段によって前記ランプが高温である情報が取得され、かつ、前記カバー開閉検出手段によって前記カバーが開いていることが検出された場合に、前記主電源部が供給する電力を利用して前記警告手段に前記ランプが高温であることを警告させ、前記ＡＣ電源が前記主電源部に接続されていない時は、前記温度情報取得手段によって前記ランプが高温である情報が取得され、かつ、前記カバー開閉検出手段によって前記カバーが開いていることが検出された場合に、前記副電源部が供給する電力を利用して前記警告手段に前記ランプが高温であることを警告させることを特徴とする。
【発明の効果】
【０００８】
本発明によれば、ＡＣ商用電源からの電力供給やロック機構がなくてもランプ高温時にカバーが開いたら作業者に警告を行うことが可能な投射型表示装置を提供することができる。
【図面の簡単な説明】
【０００９】
【図１】本実施形態のプロジェクタ（投射型表示装置）の概略部分分解斜視図である。
【図２】図１に示すプロジェクタのブロック図である。
【図３】図１に示すプロジェクタのＡＣ電源からの電力供給がある時の制御フローを示すフローチャートである。
【図４】図１に示すプロジェクタのＡＣ電源からの電力供給がない時の制御フローを示すフローチャートである。
【発明を実施するための形態】
【００１０】
図１は、本実施形態のプロジェクタ１の概略部分分解斜視図であり、図２は、プロジェクタ１のブロック図である。プロジェクタ１は、入力映像信号に従って不図示の液晶パネルを変調駆動し、光源からの光を利用して画像を不図示の被投射面（スクリーンなど）に投射（拡大投影）する投射型表示装置である。
【００１１】
プロジェクタ１は、筐体１０の内部に多くの構成要素を収納しており、これらの構成要素は、ランプ１３、主電源部１４、副電源部１５、冷却部１６、制御部１７、ランプ温度判別部１８、高温通知部１９、ＡＣ電源接続検知部２０、カバー開閉検知部２１を含む。プロジェクタ１は、特許文献１、２のようなサーモスイッチによるロック機構を必要としない。筐体１０は、ランプ１３を取り出しおよび取り付けるための開口部１１を有し、開口部１１はカバー１２で開閉自在に構成されている。
【００１２】
光源としてのランプ１３は、主に高圧水銀灯などの高圧放電灯を使用し、使用時間に応じて徐々に照度が低下し、一般に数千時間で寿命をむかえる。この寿命は一般に他の構成要素の寿命よりも短く、定期的にランプ１３を交換する必要がある。ランプ１３の交換は、筐体１０に設けられた開口部１１のカバー１２を開け、開口部１１から古いランプ１３を取り出し、新しいランプ１３を開口部１１から取り付け、カバー１２を閉めるという作業である。
【００１３】
ランプ１３は点灯時に発熱して高温になる。このため、ランプ１３は、カバー１２を開けなければアクセスできないようになっている。作業者は、ランプ１３を交換する際には、カバー１２を開ける前に、ランプ１３の消灯を確認し、ランプ１３の温度が十分に下がるまで待たなければならない。なお、高温のときの温度は適宜設定することができる。
【００１４】
主電源部１４は、ＡＣ電源が接続されている時にＡＣ電源からの電力を変換し、各構成要素に変換された電力を供給する。このように、プロジェクタ１は、ＡＣ電源から電力を得ている。
【００１５】
副電源部１５は、ＡＣ電源からの電力供給がない時に電力を各部に供給し、電池やコンデンサなどから構成される。
【００１６】
冷却部１６は、発熱部材としてのランプ１３やその他の構成要素を冷却し、ファン、ヒートシンクなどから構成される冷却手段である。制御部１７は、ＡＣ電源が主電源部１４に接続されている時に、ランプ温度判別部１８によってランプ１３が高温である情報が取得されると、主電源部１４が供給する電力を利用して冷却部１６にランプ１３を冷却させる。また、制御部１７は、ＡＣ電源が主電源部１４に接続されていない時に、ランプ温度判別部１８によってランプ１３が高温である情報が取得されると、副電源部１５が供給する電力を利用して冷却部１６にランプ１３を冷却させる。
【００１７】
制御部１７は各部の制御を行い、マイクロコンピュータ（プロセッサ）から構成される制御手段である。制御部１７の動作は、図３及び４を参照して後述する。
【００１８】
ランプ温度判別部１８は、ランプ１３の温度の情報を取得する温度情報取得手段であり、温度計に限らず、後述するように、電圧検出回路などでもよい。即ち、情報は温度を表す情報でもよいし、温度と何らかの関係を持って変化する情報であれば足りる。
【００１９】
高温通知部１９はランプ１３が高温状態であることを警告するランプ、スピーカーなどの警告手段である。
【００２０】
ＡＣ電源接続検出部２０は、主電源部１４がＡＣ電源に接続されて（電力を得て）いるかを検出する接続検出手段である。検出結果は制御部１７に送信される。
【００２１】
カバー開閉検知部２１は、カバー１２の開閉状態を検出するカバー開閉検出手段である。カバー開閉検知部２１の構成は問わず、検出は電気的、光学的、機械的など問わない。例えば、カバー１２の先端に設けられてカバー１２が閉じられたときに光路を遮断し、開けられたときに発光素子からの光が受光素子に到達することを可能にする構成でもよい。あるいは、カバー１２が閉じられたときにバネ付勢されたスイッチを接点に接触させて導通させ、開いたときにはスイッチが接点から離れる構成としてもよい。
【００２２】
プロジェクタ１のＡＣ電源通電時の制御フローを図３、ＡＣ電源遮断時の制御フローを図４に示す。図３は、ＡＣ電源が主電源部１４に接続され、かつ、不図示の電源スイッチがオンにされているときにＡＣ電源から電力が供給されている時の制御フローである。図４は、ＡＣ電源が主電源部１４に接続されないか、ＡＣ電源が主電源部１４に接続されているが不図示の電源スイッチがオフにされてＡＣ電源から電力が供給されていない時の制御フローである。但し、ＡＣ電源が主電源部１４に接続されているが不図示の電源スイッチがオフにされてＡＣ電源から電力が供給されていない時を図３の制御フローに含めてもよい。
【００２３】
図３、４において、Ｓは「ステップ（工程）」の略であり、各ステップは制御部１７によって実行される。図３、４に示す制御方法は、コンピュータによって各ステップの手段を実行させるためのプログラムとして具現化可能である。
【００２４】
図３において、まず、制御部１７は、ＡＣ電源から電力の供給があるかどうかをＡＣ電源接続検知部２０の検出結果に基づいて判断することができる。ＡＣ電源通電時には、制御部１７は、カバー開閉検知部２１からカバー１２の開閉状態の情報を取得し（Ｓ１０１）、カバー１２が開くまで待機する（Ｓ１０１のＹ）。制御部１７は、カバー１２が開いていたら（Ｓ１０１のＮ）、ランプ温度判別部１８からランプ１３の温度状態の情報を取得する（Ｓ１０２）。制御部１７は、ランプ１３が低温であれば（Ｓ１０２のＮ）、処理を終了し、ランプ１３が高温であれば（Ｓ１０２のＹ）、高温通知部１９を介してランプ１３が高温であることを通知（警告）する（Ｓ１０３）。
【００２５】
図３の制御フローによれば、制御部１７は、ランプ温度判別部１８によってランプ１３が高温である情報が取得され、かつ、カバー開閉検知部２１によってカバー１２が開いていることが検出された場合に、高温通知部１９に警告させる。この時は、主電源部１４が供給する電力を利用して高温通知部１９にランプ１３が高温であることを通知させる。これにより、ＡＣ電源通電中にはＡＣ電源を利用して、ランプ１３が高温でカバー１２が開いたことを作業者に通知することができる。
【００２６】
次に、図４において、まず、制御部１７は、ＡＣ電源から電力の供給があるかどうかをＡＣ電源接続検知部２０の検出結果に基づいて判断する（Ｓ２０１）。図４では、ＡＣ電源からの電力供給がある間は、制御部１７は待機するが（Ｓ２０１のＹ）、この場合は図３に示す処理が行われる。ＡＣ電源からの電力供給がなくなると（Ｓ２０１のＮ）、制御部１７は、ランプ温度判別部１８を利用してランプ１３の温度状態の情報を取得し（Ｓ２０２）、ランプ１３が低温であれば（Ｓ２０２のＮ）、処理を終了する。制御部１７は、ランプ１３が高温であれば（Ｓ２０２のＹ）、各部への電力供給を主電源部１４から副電源部１５に切り替える（Ｓ２０３）。
【００２７】
次に、制御部１７は、ランプ温度判別部１８を利用してランプ１３の温度状態の情報を取得し（Ｓ２０４）、ランプ１３が低温であれば（Ｓ２０４のＮ）、処理を終了する。制御部１７は、ランプ１３が高温であれば（Ｓ２０４のＹ）、カバー開閉検知部２１からカバー１２の開閉状態の情報を取得し（Ｓ２０５）、カバー１２が閉まっていればＳ２０４に戻る。制御部１７は、カバー１２が開いていたら（Ｓ２０５のＮ）、高温通知部１９を利用してランプ１３が高温であることを通知（警告）する（Ｓ２０６）。
【００２８】
図４の制御フローによれば、制御部１７は、ランプ温度判別部１８によってランプ１３が高温である情報が取得され、かつ、カバー開閉検知部２１によってカバー１２が開いていることが検出された場合に、高温通知部１９に警告させる。この時は、副電源部１５が供給する電力を利用して高温通知部１９にランプ１３が高温であることを通知させる。これにより、ＡＣ電源の供給がなくても副電源部１５を利用して、ランプ１３が高温でカバー１２が開いたことを作業者に通知することができる。
【００２９】
ランプ１３の温度を判別するために、副電源部１５に電気二重槽コンデンサ（その他のコンデンサでもよい）を設け、ランプ温度判別部１８に副電源部１５の出力電圧または出力電流を検出する検出回路を設けてもよい。副電源部１５は電気二重槽コンデンサに充電された電荷によって各部への電力供給を行う。制御部１７は、ランプ１３が消灯した後で副電源部１５からの電力供給によって冷却部１６を駆動させることによってランプ１３の冷却を行う。冷却部１６の駆動時間（冷却時間）に応じて副電源部１５の出力電圧は低下する。ランプ１３は冷却時間に応じて温度が下がるので、副電源部１５の出力電圧または出力電流の検出結果によってランプ１３の温度を判別することができる。ランプ温度判別部１８が副電源部１５の出力電圧または出力電流を温度情報に変換してもよいし、制御部１７が変換してもよい。
【００３０】
ランプ１３の温度を判別する別の手段として、副電源部１５に電気二重槽コンデンサまたは電池もしくは充電池を設け、ランプ温度判別部１８にランプ１３の温度を検出する温度計を設けてもよい。ランプ温度判別部１８はランプ１３から離れた部分の温度を検出して制御部１７が検出結果に基づいてランプ１３の温度を類推してもよい。ＡＣ電源接続時は主電源部１４からの給電、ＡＣ電源遮断時は副電源部１５からの給電で、ランプ温度判別部１８はランプ１３の温度情報を取得する。
【００３１】
ランプ１３の温度を判別する更に別の手段として、副電源部１５に電気二重槽コンデンサまたは電池もしくは充電池を設け、ランプ温度判別部１８にランプ１３の冷却時間を検出する冷却時間の検出回路（タイマやカウンタなど）を設けてもよい。ＡＣ電源接続時は主電源部１４からの給電、ＡＣ電源遮断時は副電源部１５からの給電で、ランプ温度判別部１８のランプ冷却時間を検出し、ランプ１３の温度情報を取得する。ランプ１３は冷却時間に応じて温度が下がるので、ランプ温度判別部１８はランプ冷却時間検出機能によって検出されたランプ１３の冷却時間によってランプ１３の温度状態を判別する。
【００３２】
以上、本発明の好ましい実施形態について説明したが、本発明はこれらの実施形態に限定されず、その要旨の範囲内で種々の変形及び変更が可能である。
【産業上の利用可能性】
【００３３】
投射型表示装置は液晶プロジェクタの用途に適用することができる。
【符号の説明】
【００３４】
１…プロジェクタ（投射型表示装置）、１０…筐体、１１…開口部、１２…カバー、１３…ランプ、１４…主電源部、１５…副電源部、１８…ランプ温度判別部（温度情報取得手段）、１９…高温通知部（警告手段）、２１…カバー開閉検知部（カバー開閉検出手段）
【図１】
2014016471.tif 000003
【図２】
2014016471.tif 000004
【図３】
2014016471.tif 000005
【図４】
2014016471.tif 000006